(57)【要約】【課題】革新的な衣服、とりわけ、着用時に異なる複数の形態を実現可能な衣服を提供する。【解決手段】衣服１は、本体部２を備え、本体部２の上端から第１の対のスリーブＡが延在している。本体部２からは、少なくとも第２の対のスリーブＢが延在していて、その結果、着用者の腕を第１または第２のスリーブ対Ａ、Ｂのいずれかに通した状態で、衣服１を着用できる。【選択図】図１
0003156755.tif 000002
【実用新案登録請求の範囲】
【請求項１】
本体部（２）と、この本体部（２）の上部から延在する第１のスリーブ対（Ａ）と、を備えた衣服（１）において、
本体部（２）から、少なくとも第２のスリーブ対（Ｂ）が延在していて、その結果、着用者の腕を第１または第２のスリーブ対（Ａ、Ｂ）の一方に通した状態で着用できることを特徴とする、衣服（１）。
【請求項２】
上記第２のスリーブ対（Ｂ）は、第１のスリーブ対（Ａ）に対して、異なる高さ位置に設けられている、請求項１記載の衣服（１）。
【請求項３】
上記第１および第２のスリーブ対（Ａ、Ｂ）は、実質的に同じ長さである、請求項１または２記載の衣服（１）。
【請求項４】
上記第１および第２のスリーブ対（Ａ、Ｂ）の一方が、他方のスリーブ対よりも、長いか、または短い、請求項１または２記載の衣服（１）。
【請求項５】
上記第１および第２のスリーブ対（Ａ、Ｂ）の少なくとも一方が、着用者の腕を他方のスリーブ対に通したときに、当該衣服の前方側または後方側において連結するに十分な長さを有する、請求項１〜４のいずれか１つに記載の衣服（１）。
【請求項６】
上記第１および第２のスリーブ対（Ａ、Ｂ）の少なくとも一方が、ボタンまたはフック-ループ係止要素等の係止手段を用いて連結可能である、請求項５記載の衣服（１）。
【請求項７】
上記第１および第２のスリーブ対（Ａ、Ｂ）の少なくとも一方が、着用者の腕を他方のスリーブ対に通したときに、当該衣服の前方側または後方側において結ぶのに十分な長さを有する、請求項５または６記載の衣服（１）。
【考案の詳細な説明】
【技術分野】
【０００１】
本考案は、一般的には衣服に関する。さらに詳しくは、本体部と、その上部から延在する一対のスリーブとを備える衣服に関する。
【考案の概要】
【考案が解決しようとする課題】
【０００２】
本考案の目的は、革新的な衣服、とりわけ、着用時に異なる複数の形態を実現可能な衣服を提供することである。
【課題を解決するための手段、および考案の効果】
【０００３】
この目的および他の目的は、上述のタイプの衣服によって達成される。本考案の衣服においては、本体部から、少なくとも第２の一対のスリーブが延在していて、第１の一対のスリーブ、または第２の一対のスリーブに腕を通して、当該衣服を着用できる。
【０００４】
一実施形態において、上記第２の一対のスリーブは、第１の一対のスリーブとは異なる高さ位置に設けられる。
【０００５】
第１の一対のスリーブと、第２の一対のスリーブは、ほぼ同一の長さであるか、あるいは、何れか一方の対が、他方の対よりも長いか、または短い。
【０００６】
一実施形態においては、少なくとも一方の対のスリーブを長くすることにより、着用者が腕を他方の対のスリーブに通したときに、当該一方の対のスリーブを、衣服の前面または背面で連結することができる。
【０００７】
本考案の他の特徴および利点は、後に記載する詳細な説明から明らかとなろう。詳細な説明は、添付図面を参照しつつ、非限定的な例示として説明するものである。
【図面の簡単な説明】
【０００８】
【図１】本考案の第１実施形態に係る衣服の正面図。
【図１ａ】図１の衣服について、異なる着用状態を示す図。
【図１ｂ】図１の衣服について、異なる着用状態を示す図。
【図１ｃ】図１の衣服について、異なる着用状態を示す図。
【図２】本考案の第２実施形態に係る衣服の正面図。
【図２ａ】図２の衣服について、異なる着用状態を示す図。
【図２ｂ】図２の衣服について、異なる着用状態を示す図。
【図２ｃ】図２の衣服について、異なる着用状態を示す図。
【図３】本考案の第３実施形態に係る衣服の正面図。
【図３ａ】図３の衣服について、異なる着用状態を示す図。
【図３ｂ】図３の衣服について、異なる着用状態を示す図。
【考案を実施するための形態】
【０００９】
図１〜１ｃにおいて、本考案の衣服全体を参照数字１で示している。
【００１０】
従来例の場合と同様に、衣服１は本体部２を有しており、この本体部２は、参照数字３で示した箇所において開くことができる。開く箇所３には、閉止手段を設けても良いし、設けなくても良い。閉止手段は、ボタン、ドットボタン（press studs）、ジッパ、フック-ループ係止要素等である。
代わりの構成として、衣服１の本体部２は、フロント部が閉じていて、その上端部だけが着用者の首を出すために、大きく（あるいは小さく）開いたタイプであってもよい。
【００１１】
第１のスリーブ対Ａは、本体部２の上端から両側に向かって延在している。
【００１２】
全く新規な構成として、本考案の衣服１は、第２のスリーブ対Ｂを備えている。スリーブ対Ｂは、スリーブ対Ａよりも鉛直方向下側に位置することが好ましいが、それは必須の構成ではない。
【００１３】
図１〜１ｃの実施形態において、第１のスリーブ対Ａと、第２のスリーブ対Ｂは、ほぼ同じ長さである。
【００１４】
図１の衣服１は、異なる状態で着用することができる。
【００１５】
図１ａの着用状態では、着用者の腕がスリーブ対Ａに通され、スリーブ対Ｂは、前方側で結ばれて、当該衣服を着用者の腰周りで締め付けている。
【００１６】
図１ｂに示した異なる着用状態では、図１ａの場合と同様に、着用者の腕は、スリーブ対Ａに通される。しかし、スリーブ対Ｂは、衣服の背面側で結ばれて、当該衣服を着用者の腰周りで締め付けている。
【００１７】
図１ｃのさらに異なる着用状態では、着用者の腕は、下方のスリーブ対Ｂに通される。上方のスリーブ対Ａは、前方側で、着用者のほぼ首周り近くで結ばれる。図１ｃの着用状態では、衣服１は、全体として、図１ａ、１ｂの場合に比べて短く見える。
【００１８】
図２〜２ｃの実施形態においては、上方のスリーブ対Ａは、下方側のスリーブ対Ｂよりも長い。
【００１９】
したがって、多くの異なる着用状態を実現できる。
【００２０】
図２ａの着用状態においては、着用者の腕がスリーブ対Ａに通され、スリーブ対Ｂは、衣服の内側に押し込まれてポケットを構成する（その場合、スリーブ対Ｂは、それ自体公知の封止具をその端部に有することが好ましい）。
または、内側に押し込まれたスリーブ対Ｂは、別の衣類に形成された対応するポケットへ案内するガイドとして機能する。別の衣類とは、衣服１の内側で着用されているスカートやズボン等である。
【００２１】
図２ｂの着用状態においては、着用者の腕がスリーブ対Ａに通され、短いスリーブ対Ｂは、好ましいファスナ手段を用いて、衣服の前方側で連結され、当該衣服を着用者の腰周りで締め付けている。
好ましいファスナ手段とは、ボタンまたはフック-ループ係止要素等である。
【００２２】
図２ｃの着用状態では、着用者の腕がスリーブ対Ａに通され、短いスリーブ対Ｂは、衣服の後方でハーフベルトのように連結されている。
【００２３】
図３に示した実施形態においては、上方のスリーブ対Ａは、下方側のスリーブ対Ｂよりも短い。
【００２４】
一例として図３ａに示した着用状態では、着用者の腕が上方側の短いスリーブ対Ａに通され、下方側の長いスリーブ対Ｂは、衣服の前方側で連結される。
【００２５】
代わりの構成として、図３ｂの着用状態では、下方側の長いスリーブ対Ｂは、衣服の後方側で連結される。
【００２６】
最後に、他の着用状態では（図示していない）、上方側の短いスリーブ対Ａを衣服の前方側で連結して、着用者の首周りを暖かくすることができる。
【００２７】
明らかに、非限定的な例示として、ここに説明および図示したものに対して、本考案の原理を変更することなく、実施形態および詳細構成を変更することができる。それ故、本考案は、同じコンセプトを用いた全ての実施形態に及ぶ。
【符号の説明】
【００２８】
１  衣服
２  本体部
３  衣服前方の開く箇所
Ａ  上方側のスリーブ対
Ｂ  下方側のスリーブ対
【図１】
0003156755.tif 000003
【図１ａ】
0003156755.tif 000004
【図１ｂ】
0003156755.tif 000005
【図１ｃ】
0003156755.tif 000006
【図２】
0003156755.tif 000007
【図２ａ】
0003156755.tif 000008
【図２ｂ】
0003156755.tif 000009
【図２ｃ】
0003156755.tif 000010
【図３】
0003156755.tif 000011
【図３ａ】
0003156755.tif 000012
【図３ｂ】
0003156755.tif 000013